(57)【要約】【課題】録画コンテンツを視聴する際、および録画コンテンツを削除する際などのユーザの利便性を高めることが可能なコンテンツ管理装置を提供する。【解決手段】コンテンツ管理装置１０１は、コンテンツ情報管理部１０５と、表示制御部１０６とを含む。コンテンツ情報管理部１０５は、録画コンテンツの管理テーブルを有し、録画コンテンツの再生停止位置を取得し、再生停止位置に関する位置情報を管理テーブルに格納する。表示制御部１０６は、管理テーブルに登録された録画コンテンツのリスト表示において、位置情報の登録された録画コンテンツを、位置情報に基づいて他の録画コンテンツと識別可能にディスプレイ１０９に表示する。【選択図】図１
2013093767.tif 000002
【特許請求の範囲】
【請求項１】
録画コンテンツの管理テーブルを有し、前記録画コンテンツの再生停止位置を取得し前記再生停止位置に関する位置情報を前記管理テーブルに格納するためのコンテンツ情報管理部と、
前記管理テーブルに登録された録画コンテンツのリスト表示において、前記位置情報の登録された録画コンテンツを当該位置情報に基づいて区別可能にするための表示制御部と、を備える、コンテンツ管理装置。
【請求項２】
前記表示制御部は、前記録画コンテンツの再生停止位置に基づく再生状況区分に対して予め定められた表示を行なうことで当該録画コンテンツを区別可能にする請求項１に記載のコンテンツ管理装置。
【請求項３】
前記表示制御部は、前記録画コンテンツが視聴済であることを前記再生状況区分が表すとき、当該再生状況区分に対して予め定められた視聴済の表示を行なう請求項２に記載のコンテンツ管理装置。
【請求項４】
前記コンテンツ情報管理部は、削除指令または削除設定に従い、前記再生状況区分が視聴済である録画コンテンツを削除する請求項２または請求項３に記載のコンテンツ管理装置。
【請求項５】
録画コンテンツの再生停止位置を取得し、前記再生停止位置に関する位置情報を、録画コンテンツの管理テーブルに格納するステップと、
前記管理テーブルに登録された録画コンテンツのリストを表示するステップと、を含み、
前記リストを表示するステップでは、前記位置情報の登録された録画コンテンツを当該位置情報に基づいて区別可能に表示する、コンテンツ管理方法。
【請求項６】
コンピュータに、
録画コンテンツの再生停止位置を取得し、前記再生停止位置に関する位置情報を、録画コンテンツの管理テーブルに格納するステップと、
前記管理テーブルに登録された録画コンテンツのリストを表示するステップと、を実行させ、
前記リストを表示するステップでは、前記位置情報の登録された録画コンテンツを当該位置情報に基づいて区別可能に表示する、コンテンツ管理プログラム。
【発明の詳細な説明】
【技術分野】
【０００１】
本発明は、コンテンツ管理装置、コンテンツ管理方法およびコンテンツ管理プログラムに関し、特に、録画コンテンツのリスト表示においてユーザの利便性を高めるようにするコンテンツ管理装置、コンテンツ管理方法およびコンテンツ管理プログラムに関する。
【背景技術】
【０００２】
特開２００２−１１２１５０号公報（特許文献１）には、テレビ番組などのコンテンツを記録（録画）するための、ＨＤ（Hard Disk）レコーダの技術が開示されている。ＨＤレコーダは、たとえばテレビに接続される。ＨＤレコーダに記録されたコンテンツをユーザが再生視聴する場合、または記録されたコンテンツを削除する場合、ユーザは、まず、リモコンの操作スイッチを操作し、ＨＤレコーダに録画されたコンテンツの番組情報をリスト形式でテレビに表示させる。ユーザは、番組情報を参照し、再生視聴するコンテンツ、または削除するコンテンツを選択する。
【先行技術文献】
【特許文献】
【０００３】
【特許文献１】特開２００２−１１２１５０号公報
【発明の概要】
【発明が解決しようとする課題】
【０００４】
このようなＨＤレコーダやその他の録画再生装置で用いられる録画コンテンツリストでは、未再生の録画コンテンツに対して当該コンテンツの表示行に「未視聴」等のマークを表示し、再生済の録画コンテンツに対してそのマークを非表示にすることで、ユーザが未再生コンテンツを簡単に区別できるようにすることが多い。しかしながら、当該コンテンツを少しでも再生してしまうと、そのマークは非表示にされる。このため、「未視聴」等のマークは、新着の録画コンテンツを録画番組リスト上で区別するにはユーザに便利であっても、削除したいコンテンツを探すには不便なことがある。
【０００５】
例えばコンテンツのはじめだけ再生しすぐにその再生を中断したコンテンツと最後まで再生したコンテンツとをユーザは録画番組リスト上で簡単に区別できない。しばらく時間が経過すると、コンテンツの再生をすぐに中断したことを忘れてしまうかもしれない。したがって、録画コンテンツリストで、最後まで再生したコンテンツを選択削除するとき、「未視聴」等のマークのみを参考にすると、まだほとんど視聴していないコンテンツをユーザが選択削除する可能性がある。録画コンテンツリストから当該コンテンツを選択再生すれば、レジーム機能により中断位置を確認できるが、その確認のためにコンテンツをユーザは一つずつ選択再生することになる。これに伴い録画コンテンツリストから再生画面、再生画面から録画コンテンツリストに戻る等の画面遷移も発生し、録画コンテンツリスト上で複数のコンテンツを連続的または一括して削除するのが面倒になる。録画コンテンツリスト上のプレビュー再生は先頭から行なわれるため、プレビュー再生によって中断位置をユーザは把握することができない。
【０００６】
この発明は、上述の課題を解決するためになされたもので、その目的は、録画コンテンツを視聴する際、および録画コンテンツを削除する際などのユーザの利便性を高めることが可能なコンテンツ管理装置、コンテンツ管理方法およびコンテンツ管理プログラムを提供することである。
【課題を解決するための手段】
【０００７】
上記課題を解決するために、この発明のある局面に係わるコンテンツ管理装置は、録画コンテンツの管理テーブルを有し、前記録画コンテンツの再生停止位置を取得し前記再生停止位置に関する位置情報を前記管理テーブルに格納するためのコンテンツ情報管理部と、前記管理テーブルに登録された録画コンテンツのリスト表示において、前記位置情報の登録された録画コンテンツを当該位置情報に基づいて区別可能にするための表示制御部と、を備える。
【０００８】
このような構成によれば、ユーザは、録画コンテンツのリスト表示を見ることにより、位置情報の登録された録画コンテンツを、当該位置情報に基づいて他の録画コンテンツと識別することができる。これにより、ユーザは、各録画コンテンツを、再生動作させることなくどこまで再生済みであるか、直ちに認識できる。その結果、たとえば、ユーザは、再生途中で中断された録画コンテンツのうち、続きを観たいコンテンツがどれであるかを、容易に特定できる。また、たとえば、ユーザは、記録装置に保存されている録画コンテンツのうちの、削除したい録画コンテンツを容易に特定できる。ユーザは、はじめだけ再生されたコンテンツと、最後まで再生されたコンテンツとを、録画コンテンツのリスト上で簡単に区別することができる。したがって、まだほとんど視聴していないコンテンツをユーザが誤って削除することを抑制できる。しかも、再生停止位置を確認するために、レジーム機能を利用する必要が無い。このため、再生停止位置の確認のために、画面を、録画コンテンツリストと再生画面との間で遷移する手間が必要無い。したがって、録画コンテンツを視聴する際、および録画コンテンツを削除する際などのユーザの利便性を高めることが可能なコンテンツ管理装置を実現できる。
【０００９】
好ましくは、前記表示制御部は、前記録画コンテンツの再生停止位置に基づく再生状況区分に対して予め定められた表示を行なうことで当該録画コンテンツを区別可能にする。
【００１０】
このように、再生状況区分に対して予め定められた表示を行うことで、ユーザは、各録画コンテンツの再生状況を容易に把握することができる。前記再生状況区分に対して予め定められた表示の一例として、未だ一度も視聴が開始されていないか、または、僅かな時間のみ再生された後にすぐに再生が中断され、実質的に視聴されていない録画コンテンツについては、「未視聴」の表示を行うことを挙げることができる。また、前記僅かの時間を超えた再生時間で再生が中断された録画コンテンツについては、たとえば、「視聴中断」の表示を行うことができる。
【００１１】
好ましくは、前記表示制御部は、前記録画コンテンツが視聴済であることを前記再生状況区分が表すとき、当該再生状況区分に対して予め定められた視聴済の表示を行なう。
【００１２】
これにより、録画コンテンツのうち、視聴済の録画コンテンツが何れであるかを、ユーザが明確に認識することができる。これにより、ユーザの利便性をより高くできる。なお、「視聴済」とは、録画コンテンツを最後まで再生した場合に限らず、僅かな時間のみ未再生であることから実質的に最後まで視聴された場合を含めてもよい。
【００１３】
好ましくは、前記コンテンツ情報管理部は、削除指令または削除設定に従い、前記再生状況区分が視聴済である録画コンテンツを削除する。
【００１４】
これにより、視聴済の録画コンテンツを削除することで、新たな録画コンテンツを録画するための容量を記録装置に確保することができる。
【００１５】
上記課題を解決するために、この発明のある局面に係わるコンテンツ管理方法は、録画コンテンツの再生停止位置を取得し、前記再生停止位置に関する位置情報を、録画コンテンツの管理テーブルに格納するステップと、前記管理テーブルに登録された録画コンテンツのリストを表示するステップと、を含み、前記リストを表示するステップでは、前記位置情報の登録された録画コンテンツを当該位置情報に基づいて区別可能に表示する。
【００１６】
このような構成によれば、ユーザは、録画コンテンツのリスト表示を見ることにより、位置情報の登録された録画コンテンツを、当該位置情報に基づいて他の録画コンテンツと識別することができる。これにより、ユーザは、各録画コンテンツを、再生動作させることなくどこまで再生済みであるか、直ちに認識できる。その結果、たとえば、ユーザは、再生途中で中断された録画コンテンツのうち、続きを観たいコンテンツがどれであるかを、容易に特定できる。また、たとえば、ユーザは、記録装置に保存されている録画コンテンツから削除したい録画コンテンツを容易に特定できる。ユーザは、はじめだけ再生されたコンテンツと、最後まで再生されたコンテンツとを、録画コンテンツのリスト上で簡単に区別することができる。したがって、まだほとんど視聴していないコンテンツをユーザが誤って削除することを抑制できる。しかも、再生停止位置を確認するために、レジーム機能を利用する必要が無い。このため、再生停止位置の確認のために、画面を、録画コンテンツリストと再生画面との間で遷移する手間が必要無い。したがって、録画コンテンツを視聴する際、および録画コンテンツを削除する際などのユーザの利便性の高いコンテンツ管理方法を実現できる。
【００１７】
上記の課題を解決するために、この発明のある局面に係わるコンテンツ管理プログラムは、コンピュータに、録画コンテンツの再生停止位置を取得し、前記再生停止位置に関する位置情報を、録画コンテンツの管理テーブルに格納するステップと、前記管理テーブルに登録された録画コンテンツのリストを表示するステップと、を実行させ、前記リストを表示するステップでは、前記位置情報の登録された録画コンテンツを当該位置情報に基づいて区別可能に表示するためのプログラムである。
【００１８】
このような構成によれば、ユーザは、録画コンテンツのリスト表示を見ることにより、位置情報の登録された録画コンテンツを、当該位置情報に基づいて他の録画コンテンツと識別することができる。これにより、ユーザは、各録画コンテンツを、再生動作させることなくどこまで再生済みであるか、直ちに認識できる。その結果、たとえば、ユーザは、再生途中で中断された録画コンテンツのうち、続きを観たいコンテンツがどれであるかを、容易に特定できる。また、たとえば、ユーザは、記録装置に保存されている録画コンテンツから削除したい録画コンテンツを容易に特定できる。ユーザは、はじめだけ再生されたコンテンツと、最後まで再生されたコンテンツとを、録画コンテンツのリスト上で簡単に区別することができる。したがって、まだほとんど視聴していないコンテンツをユーザが誤って削除することを抑制できる。しかも、再生停止位置を確認するために、レジーム機能を利用する必要が無い。このため、再生停止位置の確認のために、画面を、録画コンテンツリストと再生画面との間で遷移する手間が必要無い。したがって、録画コンテンツを視聴する際、および録画コンテンツを削除する際などのユーザの利便性の高いコンテンツ管理プログラムを実現できる。
【発明の効果】
【００１９】
本発明によれば、録画コンテンツを視聴する際、および録画コンテンツを削除する際などのユーザの利便性を高めることができる。
【図面の簡単な説明】
【００２０】
【図１】本発明の実施の形態に係るコンテンツ管理装置の構成を示す図である。
【図２】コンテンツ管理装置がコンテンツをＨＤＤに録画する動作を説明するためのフローチャートである。
【図３】録画コンテンツを再生する際のコンテンツ管理装置の動作を説明するためのフローチャートである。
【図４】ＨＤＤに記録された録画コンテンツのリストをディスプレイに表示する制御の流れを説明するためのフローチャートである。
【図５】ディスプレイに表示される録画コンテンツリストの一例を説明するための図である。
【図６】図５に示す録画コンテンツリストで選択削除ボタンが押操作されたときの制御の流れを説明するためのフローチャートである。
【図７】表示制御部によってディスプレイに表示される選択削除用リストの一例を説明するための図である。
【図８】図５に示す録画コンテンツリストで視聴済削除ボタンが押操作されたときの動作を説明するためのフローチャートである。
【図９】一括削除用リスト作成時の制御の流れを説明するためのフローチャートである。
【図１０】一括削除用リストを示す図である。
【図１１】ユーザの指令に基づいて録画コンテンツを削除する流れを説明するためのフローチャートである。
【図１２】コンテンツ管理装置で録画動作を行うことに伴う録画コンテンツの削除動作を説明するためのフローチャートである。
【図１３】本発明の第２の実施形態に係るコンテンツ管理装置における、録画動作を行うことに伴う録画コンテンツの削除の流れを説明するためのフローチャートである。
【発明を実施するための形態】
【００２１】
以下、本発明の実施の形態について図面を用いて説明する。なお、図中同一または相当部分には同一符号を付してその説明は繰り返さない。
［構成および基本動作］
【００２２】
図１は、本発明の実施の形態に係るコンテンツ管理装置の構成を示す図である。
【００２３】
図１を参照して、コンテンツ管理装置１０１は、受信部１０２と、解析部１０３と、コンテンツ記録再生部（コンテンツ記録部、コンテンツ再生部）１０４と、コンテンツ情報管理部１０５と、表示制御部１０６と、ユーザインターフェース（指令受信部）１０７とを備える。
【００２４】
コンテンツ管理装置１０１は、管理している複数の録画コンテンツをソート、検索および表示するコンテンツ管理装置として機能する。コンテンツ管理装置１０１は、たとえば、記録装置としてのＨＤＤ（Hard Disk Drive）１０８に録画されている複数の録画コンテンツをソート、検索および表示する。
【００２５】
より詳細には、コンテンツ管理装置１０１は、たとえば、ＳＴＢ（Set Top Box）であり、局側装置からストリームを受信し、当該ストリームから映像データおよび音声データをデコードし、ディスプレイ１０９においてコンテンツを再生する。さらに、コンテンツ管理装置１０１は、受信したコンテンツをＨＤＤ（Hard Disk Drive）１０８に録画する、あるいはＨＤＤ１０８に録画された録画コンテンツをディスプレイ１０９において再生する。
【００２６】
この局側装置は、たとえば、デジタル放送の放送局に設置される装置、またはＩＰＴＶ（Internet Protocol Television）に対応するサーバである。なお、コンテンツ管理装置１０１は、ディスプレイ１０９を備える構成であってもよいし、ＨＤＤ１０８を備える構成であってもよい。
【００２７】
受信部１０２は、局側装置から受信したストリームからＰＳＩ（Program Specific Information）、映像データおよび音声データを抽出してコンテンツ記録再生部１０４へ出力し、ＳＩ（Service Information）を抽出して解析部１０３へ出力する。
【００２８】
ＳＩは、ＡＲＩＢ（Association of Radio Industries and Businesses）により規定されたシリーズ記述子およびＥＰＧ（Electronic Program Guide）を含む。
【００２９】
シリーズ記述子は、ドラマあるいはアニメーションなどの一連のシリーズをユニークに識別するためのseries_id（シリーズ識別）、シリーズ識別が示す番組のシリーズ内の話数を示すepisode_number（話数）、シリーズ識別が有効な期限の年月日を示すexpire_date（有効期限）およびシリーズ識別が示す番組名を表す文字列であるseries_name_char（シリーズ名）などから構成される。
【００３０】
ＥＰＧは、たとえば計８日分の番組名および簡単な紹介である基本情報と、内容および出演者等の詳細情報と、ジャンル情報とを含む。
【００３１】
解析部１０３は、受信部１０２より受けたＳＩを解析し、たとえば、受信しているコンテンツの、番組タイトル、放送日時および番組が属するジャンルなどの番組情報をコンテンツ情報管理部１０５へ出力する。
【００３２】
受信している番組にシリーズ記述子がある場合、解析部１０３は、シリーズ識別、話数、有効期限およびシリーズ名も併せてコンテンツ情報管理部１０５へ出力する。
【００３３】
コンテンツ記録再生部１０４は、ＨＤＤ１０８に接続される。また、コンテンツ記録再生部１０４は、受信部１０２から受けたＰＳＩを参照し、受信しているコンテンツの再生に必要な映像データおよび音声データをデコードし、表示制御部１０６へ出力する。
【００３４】
コンテンツ情報管理部１０５は、録画コンテンツの情報を管理する。コンテンツ情報管理部１０５は、録画コンテンツの管理テーブルを有し、録画コンテンツの再生停止位置を取得し、当該再生停止位置に関する位置情報を管理テーブルに格納する。
【００３５】
表示制御部１０６は、コンテンツ記録再生部１０４から受信しているコンテンツの映像データおよび音声データをディスプレイ１０９において再生する。
【００３６】
コンテンツ管理装置１０１は、コンテンツ管理装置１０１の外部に設置したＨＤＤ１０８と接続されているときに、受信しているコンテンツをＨＤＤ１０８に録画することができる。このとき、コンテンツ記録再生部１０４は、コンテンツの画像データおよび音声データをＨＤＤ１０８に記録する。
【００３７】
また、コンテンツ管理装置１０１は、コンテンツ管理装置１０１の外部に設置したＨＤＤ１０８と接続されているときに、ＨＤＤ１０８が保有しているコンテンツをディスプレイ１０９において再生することができる。
【００３８】
［コンテンツ管理装置とＨＤＤとの同期］
コンテンツ記録再生部１０４は、ユーザがＨＤＤ１０８をコンテンツ記録再生部１０４に接続したことを認識すると、ＨＤＤ１０８のＨＤＤ識別用ＩＤを取得し、続いてＨＤＤ識別用ＩＤをコンテンツ情報管理部１０５へ通知する。
【００３９】
ＨＤＤ識別用ＩＤは、ＨＤＤ１０８を識別するためのＩＤであり、たとえばＨＤＤ１０８の個体識別番号を用いることができる。
【００４０】
コンテンツ記録再生部１０４からＨＤＤ１０８のＨＤＤ識別用ＩＤの通知を受けたコンテンツ情報管理部１０５は、当該ＨＤＤ識別用ＩＤが、新規なＨＤＤ識別用ＩＤか、あるいは接続した履歴のあるＨＤＤ識別用ＩＤであるかを判別する。
【００４１】
新規なＨＤＤ識別用ＩＤである場合、コンテンツ情報管理部１０５は、ＨＤＤ１０８に録画されているコンテンツ情報を管理するために、管理テーブルの配列を作成する。
【００４２】
接続した履歴のあるＨＤＤ識別用ＩＤである場合、コンテンツ情報管理部１０５は、コンテンツ記録再生部１０４から通知を受けたＨＤＤ１０８のＨＤＤ識別用ＩＤに基づき、接続したＨＤＤ１０８に対応する管理テーブルの配列を呼び出す。
【００４３】
すなわち、コンテンツ情報管理部１０５は、ＨＤＤ１０８のＨＤＤ識別用ＩＤ毎に管理テーブルの配列を持つ。
【００４４】
管理テーブルが持つメンバは、たとえば、コンテンツＩＤ、番組タイトル、録画日時、番組が属するジャンル、シリーズ識別、話数、有効期限およびシリーズ名であり、これらの少なくとも一つは、録画コンテンツの識別情報として用いられる。
【００４５】
コンテンツＩＤは、たとえばコンテンツをＨＤＤ１０８に録画するときに使用するファイルネームである。管理テーブルが持つメンバは、上記の識別情報に加え、再生履歴情報を含む。
【００４６】
再生履歴情報は、再生停止位置に関する位置情報を含む。位置情報は、上記識別情報によって識別される録画コンテンツが再生中断状態にある場合には、当該録画コンテンツの開始から何分までの時点で再生が中断されたかを示す。また、位置情報は、上記識別情報によって識別される録画コンテンツが未視聴、または実質的に未視聴である場合には、当該録画コンテンツが未視聴であることを示す。また、位置情報は、上記識別情報によって識別される録画コンテンツが視聴済、または実質的に視聴済である場合には、当該録画コンテンツが視聴済であることを示す。
【００４７】
また、本実施形態では、位置情報は、再生停止位置に基づく再生状況区分を含む。再生状況区分は、録画コンテンツの再生状況を示すものである。未視聴または実質的に未視聴の録画コンテンツの再生状況区分は、「未視聴」である。また、再生中断状態にある録画コンテンツの再生状況区分は、「再生中断」である。また、最後まで、または実質的に最後まで視聴済の録画コンテンツは、「視聴済」である。
【００４８】
本実施形態では、再生状況区分は、管理テーブルに格納されている。なお、管理テーブルには、再生状況区分を格納せず、表示制御部１０６が再生停止位置に基づいて再生状況区分を判断してもよい。
【００４９】
コンテンツ情報管理部１０５は、管理テーブルの１または複数のメンバを、複数の録画コンテンツを検索するときの検索キーおよびディスプレイ１０９に表示するときの項目に用いる。
【００５０】
接続した履歴のあるＨＤＤ１０８の場合、コンテンツ情報管理部１０５は、管理テーブルの配列の各要素のメンバであるコンテンツＩＤに対応するコンテンツがＨＤＤ１０８に録画されているかを確認する。
【００５１】
より詳細には、コンテンツ情報管理部１０５は、管理テーブルの配列の各要素に記録されているコンテンツＩＤ、および該当するコンテンツの存在確認指令をコンテンツ記録再生部１０４に対して与える。
【００５２】
コンテンツ情報管理部１０５からコンテンツＩＤと該当するコンテンツの存在確認指令とを受けたコンテンツ記録再生部１０４は、コンテンツＩＤに基づき該当するコンテンツがＨＤＤ１０８に録画されているかを確認する。
【００５３】
コンテンツ記録再生部１０４は、ＨＤＤ１０８に該当するコンテンツが存在することを確認すれば真（Ｔｒｕｅ）を、存在しないことを確認すれば偽（Ｆａｌｓｅ）をコンテンツ情報管理部１０５に通知する。
【００５４】
コンテンツ情報管理部１０５は、コンテンツ記録再生部１０４から偽（Ｆａｌｓｅ）と通知されたときには該当する管理テーブルの配列の要素を削除する。真（Ｔｒｕｅ）が通知されたときには何もしない。管理テーブルの配列の全要素に対して上記の確認作業が完了すれば、コンテンツ情報管理部１０５が管理する情報とＨＤＤ１０８が保有するコンテンツとの同期作業が完了となる。
【００５５】
コンテンツ情報管理部１０５は、同期作業が無事完了すれば同期作業を真（Ｔｒｕｅ）と判定し、同期作業に異常があれば同期作業を偽（Ｆａｌｓｅ）と判定する。
【００５６】
コンテンツ情報管理部１０５が同期作業を真（Ｔｒｕｅ）と判定したことを以って、コンテンツ管理装置１０１では、受信したコンテンツのＨＤＤ１０８への録画準備、およびＨＤＤ１０８に録画されたコンテンツのディスプレイ１１０への再生準備が完了する。
【００５７】
コンテンツ情報管理部１０５が同期作業を偽（Ｆａｌｓｅ）と判定した場合には、コンテンツ情報管理部１０５は、表示制御部１０６を介してその旨のデータを送信し、同期作業の異常を示すメッセージ等をディスプレイ１０９に表示してもよい。
【００５８】
ユーザインターフェース１０７は、たとえばボタンスイッチを含み、ユーザによってボタンスイッチが押操作されることにより、コンテンツ管理装置１０１に対するユーザの指令信号を表示制御部１０６へ出力する。表示制御部１０６は、ユーザインターフェース１０７から受信した指令信号をコンテンツ情報管理部１０５に出力する。
【００５９】
ユーザインターフェース１０７は、コンテンツ管理装置１０１の筐体に配置してもよいし、コンテンツ管理装置１０１との通信が可能な赤外線による無線式あるいはケーブルによる有線式リモートコントローラでもよい。
【００６０】
以上が、コンテンツ管理装置１０１の概略構成である。次に、コンテンツ管理装置１０１における、コンテンツを録画する動作、録画されたコンテンツ（以下、録画コンテンツという。）の再生動作、録画コンテンツの一覧表表示動作、および録画コンテンツの削除動作を説明する。
【００６１】
［録画］
図２は、コンテンツ管理装置１０１がコンテンツをＨＤＤ１０８に録画する動作を説明するためのフローチャートである。
【００６２】
コンテンツ管理装置１０１は、以下に示す各フローチャートの各ステップを図示しないメモリから読み出して実行する。このプログラムは、外部からインストールできる。このインストールされるプログラムは、たとえば記録媒体に格納された状態で流通する。
【００６３】
図２を参照して、ユーザインターフェース１０７が備える「録画」ボタンが、ユーザによって押操作されると、ユーザインターフェース１０７は、録画指令を表示制御部１０６に出力する（ステップＳ２０１）。続いて、表示制御部１０６は、録画指令をコンテンツ情報管理部１０５に出力する（ステップＳ２０２）。
【００６４】
表示制御部１０６から録画指令を受信したコンテンツ情報管理部１０５は、管理テーブルの配列に新たに要素を一つ加え、録画するコンテンツの識別情報を管理テーブルに追加する（ステップＳ２０３）。より詳細には、解析部１０３から受けた録画しようとしているコンテンツの番組タイトル、放送日時（録画日時）、および番組が属するジャンル情報に加えて、シリーズ記述子が利用可能である場合には、シリーズ識別、話数、有効期限およびシリーズ名を、管理テーブルに新たに加えた配列要素の該当するメンバに書き込む。
【００６５】
さらに、コンテンツ情報管理部１０５は、コンテンツＩＤを決定し、管理テーブルに新たに加えた配列要素の該当するメンバに書き込む。コンテンツ情報管理部１０５は、コンテンツＩＤをたとえば番組タイトルあるいは放送日時を基に生成してもよい。
【００６６】
次に、コンテンツ情報管理部１０５は、上記録画するコンテンツの位置情報の再生状況区分を初期設定する（ステップＳ２０４）。より詳細には、コンテンツ情報管理部１０５は、上記コンテンツが、未視聴である旨の設定を行う。
【００６７】
次に、コンテンツ情報管理部１０５は、現在受信しているコンテンツの録画指令およびコンテンツＩＤをコンテンツ記録再生部１０４へ出力する（ステップＳ２０５）。
【００６８】
コンテンツ情報管理部１０５から録画指令およびコンテンツＩＤを受信したコンテンツ記録再生部１０４は、ＨＤＤ１０８にコンテンツを録画する準備を行う（ステップＳ２０６）。より詳細には、コンテンツ記録再生部１０４は、受信しているコンテンツを録画するための録画領域をＨＤＤ１０８に確保し、確保した録画領域のアドレスとコンテンツＩＤとを対応付け、ＨＤＤ１０８に録画されたコンテンツをコンテンツＩＤにより参照できるようにする。
【００６９】
コンテンツ記録再生部１０４は、ＨＤＤ１０８に録画領域を確保できたことを確認したのち、受信部１０２から受信したＰＳＩを参照し、必要な映像データおよび音声データをエンコードし、ＨＤＤ１０８において確保した録画領域に録画する（ステップＳ２０７）。
【００７０】
次に、コンテンツ管理装置１０１の録画動作を停止する場合には、録画停止指令が、ユーザインターフェース１０７から表示制御部１０６に入力される（ステップＳ２０８）。さらに、表示制御部１０６は、録画停止指令をコンテンツ情報管理部１０５に与える（ステップＳ２０９）。
【００７１】
ステップＳ２０９は、ユーザがユーザインターフェース１０７を操作すると同時に、または当該操作の後所定時間経過後に、行われる。より詳細には、ステップＳ２０９は、たとえば、ユーザインターフェース１０７が備える「録画停止」ボタンが押操作されたと同時に実行される。また、ユーザによって予め指定された番組を録画する予約録画指令がユーザインターフェース１０７から表示制御部１０６に伝達されている場合には、ステップＳ２０９は、予約された録画停止時間となった時点で、実行される。
【００７２】
表示制御部１０６から録画停止指令を受信したコンテンツ情報管理部１０５は、管理テーブルの配列において、当該録画コンテンツの録画開始時に新たに加えた要素のメンバである録画日時に終了時刻を書き込む（ステップＳ２１０）。続いて、コンテンツ情報管理部１０５は、コンテンツ記録再生部１０４に対して現在受信しているコンテンツの録画停止指令および該コンテンツＩＤを出力する（ステップＳ２１１）。
【００７３】
コンテンツ情報管理部１０５から録画停止指令および該コンテンツＩＤを受信したコンテンツ記録再生部１０４は、受信しているコンテンツをＨＤＤ１０８に録画することを停止し、録画開始時に確保したＨＤＤ１０８における録画領域の最後にファイルの終端を示すエンドオブファイル（End Of File）を追加する（ステップＳ２１２）。
【００７４】
［再生］
次に、上記の録画動作で録画された録画コンテンツの再生動作を説明する。図３は、録画コンテンツを再生する際のコンテンツ管理装置１０１の動作を説明するためのフローチャートである。図３を参照して、表示制御部１０６は、ユーザインターフェース１０７から録画コンテンツを再生する再生指令を受けているか否かを監視する（ステップＳ３０１）。
【００７５】
このとき、ユーザは、ディスプレイ１０９に表示される、後述する録画コンテンツリスト１２０（図５参照）を見ながら、ユーザインターフェース１０７を操作し、所望の録画コンテンツ（たとえば、ＩＤ１の録画コンテンツ）を選択する。そして、ユーザインターフェース１０７が備える「再生」ボタンが押操作されると、当該ＩＤの録画コンテンツを再生する再生指令は、表示制御部１０６を介してコンテンツ情報管理部１０５へ出力される（ステップＳ３０１でＹＥＳ）。
【００７６】
これにより、コンテンツ情報管理部１０５は、当該コンテンツ情報管理部１０５に保存されている、選択されたＩＤの録画コンテンツの再生履歴情報を読み込む（ステップＳ３０２）。
【００７７】
次に、コンテンツ情報管理部１０５は、選択されたＩＤの録画コンテンツを再生する（ステップＳ３０３）。より詳細には、選択されたＩＤの録画コンテンツの画像データおよび音声データが、ＨＤＤ１０８からコンテンツ記録再生部１０４および表示制御部１０６を介して、ディスプレイ１０９へ出力される。この場合において、選択されたＩＤの録画コンテンツに関して、再生状況区分が未視聴である場合、選択されたＩＤの録画コンテンツは、最初から再生される。一方、選択されたＩＤの録画コンテンツの再生状況区分が、再生中断状態である場合には、選択されたＩＤの録画コンテンツは、再生中断時点から再生される。
【００７８】
上記録画コンテンツの再生の開始後、当該録画コンテンツが最後まで再生されておらず（ステップＳ３０４でＮＯ）、かつ、コンテンツ情報管理部１０５が再生中断指令を受信していないとき（ステップＳ３０５でＮＯ）、コンテンツ情報管理部１０５は、選択されたＩＤの録画コンテンツの再生を継続する（ステップＳ３０３〜Ｓ３０５）。
【００７９】
このとき、ユーザインターフェース１０７が備える「再生中断」ボタンが押操作されると、コンテンツ情報管理部１０５には、再生中断指令が伝わる（ステップＳ３０５でＹＥＳ）。この指令を受信したコンテンツ情報管理部１０５は、コンテンツ記録再生部１０４によるＨＤＤ１０８の画像データおよび音声データの読み込みを停止させ、これにより、選択されたＩＤの録画コンテンツの再生を中断する（ステップＳ３０６）。
【００８０】
次に、コンテンツ情報管理部１０５は、録画コンテンツが実質的に未視聴であるか否かを判定する（ステップＳ３０７）。具体的には、録画コンテンツの開始時点、すなわち頭時点から、再生が中断された時点までの再生時間が、所定時間（たとえば、数分間）以下の短い時間である場合、録画コンテンツは、実質的に未視聴であると判定される（ステップＳ３０７でＹＥＳ）。この場合、コンテンツ情報管理部１０５は、上記録画コンテンツの位置情報の再生状況区分を、未視聴に設定する（ステップＳ３０８）。
【００８１】
一方、録画コンテンツの開始時点、すなわち頭時点から、再生が中断された時点までの再生時間が、所定時間より長い時間である場合（ステップＳ３０７でＮＯ）、コンテンツ情報管理部１０５は、ステップＳ３０９に進む。
【００８２】
ステップＳ３０９では、コンテンツ情報管理部１０５は、録画コンテンツが実質的に最後まで視聴されたか否かを判定する。具体的には、録画コンテンツの再生中断時の時間位置が、録画時間に対して所定の第１の割合（たとえば、９０％）以上であり、かつ、録画コンテンツにおいて再生をスキップされた箇所が少ない場合に、録画コンテンツが実質的に視聴済であると判定する。
【００８３】
なお、「再生中断時の時間位置」とは、当該録画コンテンツの頭位置から最後に再生を中断したときの位置までの間の時間をいう。また、「録画時間」とは、録画開始から終了までの間の時間をいう。
【００８４】
また、「スキップ」とは、所定の録画コンテンツの一部を飛ばして再生するジャンプ再生、および早送り再生など、等倍再生より早く再生時間が進むように再生をすることをいう。また、単に「再生」というときは、録画速度と同じ等倍速度で再生することをいう。
【００８５】
所定の録画コンテンツの録画時間に対してスキップが行われた時間の割合が所定の第２の割合（たとえば、数％）未満の場合、スキップが少ないと判定される。所定の録画コンテンツの録画時間に対してスキップが行われた時間の割合が所定の第２の割合（たとえば、数％）以上である場合は、当該所定の録画コンテンツは、視聴のために再生された箇所が少なく、実質的に全て再生されたと扱うことは適当でない。
【００８６】
ステップＳ３０９でＹＥＳの場合、コンテンツ情報管理部１０５は、ステップＳ３１１に進む。ステップＳ３０９でＮＯの場合、コンテンツ情報管理部１０５は、ステップＳ３１０に進む。
【００８７】
ステップＳ３１０では、コンテンツ情報管理部１０５は、録画コンテンツが再生中断状態にあるものとして、当該再生中断時の再生時間を、位置情報に記録し、再生状況区分を視聴中断にする。
【００８８】
たとえば、１時間の番組を録画した録画コンテンツにおいて、番組の開始から２５分経過した時点で再生が中断された場合、位置情報における再生停止位置は、「２５分」となる。より詳細には、１時間の番組を録画した録画コンテンツを１回目に１０分だけ再生し、その後、２回目の再生時に１５分だけ再生した場合を考える。この場合、１０＋１５＝２５分が再生停止位置となる。すなわち、再生停止位置は、録画コンテンツを最初から途中まで連続して再生したときと、録画コンテンツを最初から途中まで複数回に分けて再生したときとで、同様である。
【００８９】
一方、再生中断指令が与えられずに、選択された録画コンテンツを最後まで再生した場合（ステップＳ３０４でＹＥＳ）、またはステップＳ３０９で録画コンテンツが実質的に視聴済であると判定された場合（ステップＳ３０９でＹＥＳ）、コンテンツ情報管理部１０５は、録画コンテンツの位置情報の再生状況区分を、視聴済に設定する。
【００９０】
[録画コンテンツリストの表示]
図４は、ＨＤＤ１０８に記録された録画コンテンツのリストをディスプレイ１０９に表示する制御の流れを説明するためのフローチャートである。図４を参照して、ユーザインターフェース１０７が備える「録画リスト表示」ボタンがユーザによって押操作されると、コンテンツ情報管理部１０５には、録画コンテンツのリストを表示する表示指令が与えられる（ステップＳ４０１でＹＥＳ）。
【００９１】
表示指令を受信したコンテンツ情報管理部１０５は、当該コンテンツ情報管理部１０５で取得され、かつ、当該コンテンツ情報管理部１０５に記憶された、各録画コンテンツの識別情報を読み込む（ステップＳ４０２）。さらに、コンテンツ情報管理部１０５は、これらの識別情報に対応する位置情報を読み込む（ステップＳ４０３）。
【００９２】
そして、コンテンツ情報管理部１０５は、録画コンテンツのそれぞれの識別情報と、録画コンテンツのそれぞれの位置情報とを対応付けた録画コンテンツリストのデータを、表示制御部１０６へ送信する。これにより、録画コンテンツのリストが、ディスプレイ１０９に表示される（ステップＳ４０４）。表示制御部１０６は、位置情報が登録された各録画コンテンツを、当該位置情報に基づいて、他の録画コンテンツと識別可能に表示する。このような表示の詳細は、以下に説明する。
【００９３】
図５は、ディスプレイ１０９に表示される録画コンテンツリストの一例を説明するための図である。ディスプレイ１０９には、図５に示すように、互いに対応付けられた録画コンテンツの識別情報および再生履歴情報を含む録画コンテンツリスト１２０が表示される。
【００９４】
録画コンテンツリスト１２０は、ＨＤＤ１０８に録画された複数のコンテンツに対応づけられた要素１２１ａ〜１２１ｆを含む。要素１２１ａ〜１２１ｆには、それぞれ、録画コンテンツのＩＤ番号、番組タイトル、録画日時（録画開始日時と録画停止日時）、および再生停止位置に基づく再生状況区分が含まれている。
【００９５】
たとえば、要素１２１ａは、ＩＤ番号１番の、ニュース番組の録画コンテンツを示している。また、要素１２１ｂは、ＩＤ番号２番の、温泉を特集した番組の録画コンテンツを示している。また、ＩＤ番号３番〜６番の要素１２１ｃ、要素１２１ｄ、要素１２１ｅおよび要素１２１ｆは、それぞれ、ドラマの録画コンテンツを示している。
【００９６】
また、各要素１２１ａ〜１２１ｆのそれぞれにおいて、再生履歴情報欄１２２が設けられており、再生履歴情報は、対応する識別情報に隣接して配置されている。再生履歴情報の再生状況区分は、未視聴、視聴中断、および視聴済の３つの区分を含み、再生状況区分に対して予め定められた表示が行われる。再生状況区分が、未視聴である場合には、「未視聴」の表示が行われる。また、再生状況区分が、視聴中断である場合には、「視聴中断」の表示が行われる。また、再生状況区分が、視聴済である場合には、「視聴済」の表示が行われる。このような、予め定められた表示を行うことにより、各録画コンテンツを、位置情報に基づいて、録画コンテンツリスト１２０に表示される他の録画コンテンツと識別可能にしている。
【００９７】
本実施形態では、たとえば、ＩＤ３の録画コンテンツにおける再生履歴情報欄１２２には、「未視聴」マークが表示される。
【００９８】
一方、途中まで再生された、再生中断状態の録画コンテンツ（たとえば、ＩＤ１，ＩＤ２，ＩＤ６の各録画コンテンツ）における再生履歴情報欄１２２では、「視聴中断」マークが表示される。また、当該再生履歴情報欄１２２では、当該録画コンテンツの録画時間に対する、中断箇所までの再生時間の割合が、図柄１２３に表示される。
【００９９】
たとえば、録画時間が１時間である録画コンテンツにおいて、３０分の時点で再生が中断されているもの（たとえば、ＩＤ２の録画コンテンツ）については、再生履歴情報欄１２２の図柄１２３の円形の枠の内側が、１／２（１８０度）分、録画コンテンツリスト１２０の背景色とは異なる所定の色で塗りつぶされる。
【０１００】
また、録画時間が１時間である録画コンテンツにおいて、４０分の時点で再生が中断されているもの（たとえば、ＩＤ１の録画コンテンツ）については、再生履歴情報欄１２２の図柄１２３の円形の枠の内側が、２／３（２４０度分）、上記所定の色で塗りつぶされる。
【０１０１】
また、録画時間が１時間である録画コンテンツにおいて、５４分の時点で再生が中断されているもの（たとえば、ＩＤ６の録画コンテンツＩＤ）については、再生履歴情報欄１２２の図柄１２３の円形の枠の内側が、９／１０（約３２４度分）、上記所定の色で塗りつぶされる。
【０１０２】
さらに、録画時間が１時間である録画コンテンツにおいて、１時間の時点まで再生された録画コンテンツ、すなわち、最後まで再生された録画コンテンツ（たとえば、ＩＤ４，５の録画コンテンツ）については、再生履歴情報欄１２２で「視聴済」と表示される。
【０１０３】
このとき、ユーザは、録画コンテンツリストを参照しつつ、ユーザインターフェース１０７が備えるカーソルキーを押操作することで、要素１２１ａ〜１２１ｆの何れかをフォーカスする。
【０１０４】
ここで、フォーカスとは、現在操作が可能な状態であることを表しており、録画コンテンツリスト１２０におけるフォーカスされた要素１２１（たとえば、要素１２１ｆ）は、図５において白抜き文字で表示される。
【０１０５】
そして、ユーザは、再生したい録画コンテンツの要素１２１をフォーカスさせた状態で、ユーザインターフェース１０７に備えられる「再生」ボタンを押操作する。これに伴い、コンテンツ情報管理部１０５は、コンテンツ記録再生部１０４に再生指令を与え、コンテンツ記録再生部１０４は、ＨＤＤ１０８に記録されている対応する画像データおよび音声データを表示制御部１０６に出力する。これにより、フォーカスされた要素１２１の録画コンテンツが再生される。なお、録画コンテンツの再生動作の詳細については、図３のフローチャートで前述した通りである。
【０１０６】
また、表示制御部１０６は、フォーカスされている要素１２１に対応する録画コンテンツ（たとえば、ＩＤ６の録画コンテンツ）のプレビュー画面を、録画コンテンツリスト１２０のプレビュー表示部１２４に表示する。プレビュー画面は、フォーカスされている要素１２１ｆに対応する、ＩＤ６の録画コンテンツの一画面を表示する画面である。
【０１０７】
録画コンテツリスト１２０には、選択削除ボタン１２５、および視聴済削除ボタン１２６が含まれている。
【０１０８】
選択削除ボタン１２５は、録画コンテンツのデータを個別に削除するためのボタンである。視聴済削除ボタン１２６は、ＨＤＤ１０８に記録されている録画コンテンツのうち、最後まで再生されたか、または実質的に最後まで再生されたコンテンツのデータを一括して削除するためのボタンである。選択削除ボタン１２５および視聴済削除ボタン１２６は、ユーザインターフェース１０７のボタン押操作によって操作される。
【０１０９】
[選択削除ボタンが押操作されたときの動作]
図６は、図５に示す録画コンテンツリスト１２０の選択削除ボタン１２５が押操作されたときの制御の流れを説明するためのフローチャートである。図５および図６を参照して、コンテンツ情報管理部１０５は、ユーザインターフェース１０７によって選択削除ボタン１２５が押操作されたか否かを監視する（ステップＳ６０１）。
【０１１０】
選択削除ボタン１２５が押操作された場合（ステップＳ６０１でＹＥＳ）、コンテンツ情報管理部１０５は、表示制御部１０６へ表示指令を出力し、図７に示す選択削除用リスト１３０をディスプレイ１０９に表示させる（ステップＳ６０２）。
【０１１１】
図７を参照して、選択削除用リスト１３０には、録画コンテンツのＩＤ番号および番組タイトルを示す要素１３１ａ〜１３１ｆが表示されている。また、選択削除用リスト１３０には、プレビュー表示部１２４および拡大表示部１３２が設けられている。拡大表示部１３２は、ユーザインターフェース１０７の操作によってフォーカスされた要素１３１ａ〜１３１ｆに対応する録画コンテンツの識別情報および再生履歴情報を表示する。この拡大表示部１３２に表示される識別情報および再生履歴情報は、図５で示した内容と同内容である。
【０１１２】
たとえば、フォーカスされた要素が要素１３１ｅであるとき、拡大表示部１３２には、要素１３１ｅに対応付けられたＩＤ番号５の録画コンテンツの識別情報および再生履歴情報が表示される。
【０１１３】
また、選択削除用リスト１３０の要素１３１ａ〜１３１ｆのそれぞれには、削除選択用チェックボックス１３３が設けられている。フォーカスされた要素１３１（たとえば、要素１３１ｅ）の削除選択用チェックボックス１３３には、ユーザインターフェース１０７のボタン押操作によって、チェックマークを追加および削除することが可能とされている。
【０１１４】
さらに、選択削除用リスト１３０には、削除ボタン１３４およびキャンセルボタン１３５が設けられている。
【０１１５】
図６を参照して、コンテンツ情報管理部１０５は、要素１３１ａ〜１３１ｆのそれぞれにおいて、削除選択用チェックボックス１３３にチェックマークが追加されているか否かを確認する（ステップＳ６０３）。
【０１１６】
そして、削除ボタン１３４が、ユーザインターフェース１０７を通じてユーザに押操作された場合（ステップＳ６０４で削除）、コンテンツ情報管理部１０５は、チェックマークがつけられている要素１３１（たとえば、要素１３１ｅ）の録画コンテンツの画像データ、音声データ、識別情報および再生履歴情報を削除する（ステップＳ６０５）。
【０１１７】
より詳細には、コンテンツ情報管理部１０５は、コンテンツ記録再生部１０４に削除指令を送信する。削除指令を受けたコンテンツ記録再生部１０４は、チェックマークがつけられた要素１３１に対応付けられた録画コンテンツの画像データ、音声データおよび識別情報をＨＤＤ１０８から削除する。
【０１１８】
なお、ＨＤＤ１０８からデータを削除する処理は、ＨＤＤ１０８の記録領域に記録されたデータを消し去る処理と、ＨＤＤ１０８の記録領域に記録されたデータに新たなデータを上書きすることを許可する処理の、少なくとも一方を含む。
【０１１９】
次いで、コンテンツ情報管理部１０５は、当該コンテンツ情報管理部１０５に記憶されている、対応する識別情報および再生履歴情報を削除し、これにより、コンテンツ情報管理部１０５の情報を更新する（ステップＳ６０６）。
【０１２０】
一方、選択削除用リスト１３０の削除ボタン１３４が押操作されずに、キャンセルボタン１３５が押操作された場合（ステップＳ６０４でキャンセル）、コンテンツ情報管理部１０５は、録画コンテンツのデータを削除することなく、処理を終了する。
【０１２１】
[視聴済削除ボタンが押操作されたときの動作]
図８は、図５に示す録画コンテンツリスト１２０で視聴済削除ボタン１２６が押操作されたときの動作を説明するためのフローチャートである。図５および図８を参照して、コンテンツ情報管理部１０５は、ユーザインターフェース１０７を通じて視聴済削除ボタン１２６が押操作されたか否かを監視する（ステップＳ８０１）。
【０１２２】
視聴済削除ボタン１２６が押操作された場合（ステップＳ８０１でＹＥＳ）、コンテンツ情報管理部１０５は、図１０に示す一括削除用リスト１４０を作成し（ステップＳ８０２）、一括削除用リスト１４０のデータを表示制御部１０６へ出力し、一括削除用リスト１４０をディスプレイ１０９に表示する（ステップＳ８０３）。
【０１２３】
なお、一括削除用リスト１４０は、最後まで再生されたか、または、実質的に最後まで再生された録画コンテンツの識別情報を示すリストである。すなわち、一括削除用リスト１４０は、削除対象コンテンツのリストである。次いで、コンテンツ情報管理部１０５は、録画コンテンツの削除処理を行う（ステップＳ８０４）。すなわち、表示制御部１０６は、ユーザが視聴済削除ボタン１２６を押操作することで発した指令に基づいて、録画コンテンツの削除処理を行う。
【０１２４】
[一括削除用リストの作成（ステップＳ８０２の詳細）]
【０１２５】
図９は、一括削除用リスト１４０作成時の制御の流れを説明するためのフローチャートである。
【０１２６】
図９を参照して、コンテンツ情報管理部１０５は、当該コンテンツ情報管理部１０５に記憶されている、所定の録画コンテンツ（たとえば、最初はＩＤ１の録画コンテンツ）の識別情報を読み込み（ステップＳ９０１）、さらに、当該識別情報に対応付けられている位置情報（再生履歴情報）を読み込む（ステップＳ９０２）。
【０１２７】
そして、コンテンツ情報管理部１０５は、位置情報を基に、上記識別情報に対応する録画コンテンツが最後まで再生されたか否かを判定する（ステップＳ９０３）。所定の録画コンテンツが最後までまたは実質的に最後まで再生されている場合（ステップＳ９０３でＹＥＳ）、すなわち、再生状況区分が視聴済の録画コンテンツの場合、コンテンツ情報管理部１０５は、当該所定の録画コンテンツの識別情報および位置情報を、一括削除用リスト１４０に追加する（ステップＳ９０４）。その後、コンテンツ情報管理部１０５は、ステップＳ９０５の処理を行う。
【０１２８】
一方、位置情報によって示される再生状況区分が、視聴済でない場合（ステップＳ９０３でＮＯ）、コンテンツ情報管理部１０５は、所定の録画コンテンツの再生履歴情報および識別情報を、一括削除用リスト１４０には追加しない。次いで、表示制御部１０６は、ステップＳ９０７の処理を行う。
【０１２９】
ステップＳ９０５では、コンテンツ情報管理部１０５は、当該コンテンツ情報管理部１０５に記憶された全ての録画コンテンツの識別情報を読み込んだか否かを判定する。コンテンツ情報管理部１０５が全ての録画コンテンツの識別情報を読み込んでいない場合（ステップＳ９０５でＮＯ）、コンテンツ情報管理部１０５は、ステップＳ９０１に戻って別の録画コンテンツの識別情報および位置情報を読み込む（ステップＳ９０１，Ｓ９０２）。その後、コンテンツ情報管理部１０５は、ステップＳ９０３〜Ｓ９０５の処理を行う。
【０１３０】
そして、表示制御部１０６は、全ての録画コンテンツの識別情報および再生履歴情報を読み込んだ後（ステップＳ９０５でＹＥＳ）、処理を終了する。上記の流れにより、図１０に示す一括削除対象リストが作成される。
【０１３１】
[ユーザの指令に基づく録画コンテンツの削除（ステップＳ８０４の詳細）]
図１１は、ユーザの指令に基づいて録画コンテンツを削除する流れを説明するためのフローチャートであり、図８のステップＳ８０４の詳細を示している。図１１を参照して、コンテンツ情報管理部１０５は、図９に示す流れによって作成された一括削除用リスト１４０のデータを表示制御部１０６へ出力し、ディスプレイ１０９に表示させる（ステップＳ１１０１）。より詳細には、表示制御部１０６は、図１０に示す一括削除用リスト１４０をディスプレイ１０９に表示する。
【０１３２】
図５および図１０を参照して、たとえば、本実施形態では、録画コンテンツリスト１２０において、要素１２１ｄ、１２１ｅで示された、ＩＤ４，ＩＤ５の各録画コンテンツが、最後まで再生された録画コンテンツとされている。
【０１３３】
したがって、一括削除用リスト１４０では、録画コンテンツのうち、ＩＤ４，ＩＤ５の各録画コンテンツの識別情報の番組タイトルが、一括削除用リスト１４０で表示される。すなわち、ＩＤ４，ＩＤ５の各録画コンテンツが、削除対象コンテンツとなっており、当該削除対象コンテンツの識別情報の番組タイトルが、一括削除用リスト１４０で表示される。一括削除用リスト１４０には、要素１２１ｄ，１２１ｅに対応する要素１４１ｄ，１４１ｅが設けられている。要素１４１ｄ，１４１ｅには、識別情報として、ＩＤおよび番組タイトルが含まれている。
【０１３４】
また、一括削除用リスト１４０には、要素１４１ｄ，１４１ｅのそれぞれに対応付けられた削除選択用チェックボックス１３３が表示されている。デフォルトで、要素１４１ｄ，１４１ｅの削除選択用チェックボックス１３３の全てにチェックマークが入れられている。ユーザインターフェース１０７のボタン押操作によって、フォーカスされた要素１４１の削除選択用チェックボックス１３３のチェックマークを削除することが可能とされている。さらに、一括削除用リスト１４０には、削除ボタン１３４およびキャンセルボタン１３５が設けられている。
【０１３５】
図１０および図１１を参照して、コンテンツ情報管理部１０５は、要素１４１ｄ，１４１ｅのそれぞれにおいて、削除選択用チェックボックス１３３にチェックマークが追加されているか否かを確認する（ステップＳ１１０２）。
【０１３６】
その後、ユーザインターフェース１０７を通じ削除ボタン１３４が押操作された場合（ステップＳ１１０３で削除）、コンテンツ情報管理部１０５は、チェックマークがつけられている要素１４１（たとえば、要素１４１ｄ，１４１ｅ）に対応付けられた録画コンテンツの画像データ、音声データ、識別情報および再生履歴情報を一括して削除する（ステップＳ１１０４）。
【０１３７】
より詳細には、コンテンツ情報管理部１０５は、コンテンツ記録再生部１０４に削除指令を出力する。削除指令を受けたコンテンツ記録再生部１０４は、チェックマークがつけられた要素１４１に対応付けられた録画コンテンツの画像データ、音声データおよび識別情報をＨＤＤ１０８から削除する。
【０１３８】
次いで、コンテンツ情報管理部１０５は、当該コンテンツ情報管理部１０５に記憶されている、対応する識別情報および再生履歴情報を削除し、これにより、コンテンツ情報管理部１０５の情報を更新する（ステップＳ１１０５）。
【０１３９】
一方、削除ボタン１３４は押操作されずに、キャンセルボタン１３５が押操作された場合（ステップＳ１１０３でキャンセル）、表示制御部１０６は、録画コンテンツのデータを削除することなく、処理を終了する。
【０１４０】
[録画動作に伴う録画コンテンツの削除]
図１２は、コンテンツ管理装置１０１で録画動作を行うことに伴う録画コンテンツの削除動作（削除設定）を説明するためのフローチャートである。図１２を参照して、コンテンツ情報管理部１０５は、ＨＤＤ１０８にコンテンツを記録する録画指令がユーザインターフェース１０７から出力されたか否かを監視する（ステップＳ１２０１）。
【０１４１】
なお、この場合の「録画」とは、事前に指定した番組を定められた時間録画する予約録画と、終了時間を特定しない非予約録画とを含む。
【０１４２】
録画指令のある場合（ステップＳ１２０１でＹＥＳ）、表示制御部１０６は、ＨＤＤ１０８の空き容量が不足しているか否かを判定する（ステップＳ１２０２）。
【０１４３】
たとえば、前述の予約録画が指令されている場合、コンテンツ情報管理部１０５は、録画終了時間が分かっている。この場合、コンテンツ情報管理部１０５は、ＨＤＤ１０８がコンテンツを記録できる残り時間が、録画しようとするコンテンツの録画時間以上あるときに、ＨＤＤ１０８の空き容量は不足していないと判定する（ステップＳ１２０２でＮＯ）。すなわち、ＨＤＤ１０８の空き容量を超えてしまわないと判定する。
【０１４４】
一方、コンテンツ情報管理部１０５は、ＨＤＤ１０８がコンテンツを記録できる残り時間が、録画しようとするコンテンツの録画時間未満であるときは、ＨＤＤ１０８の空き容量が不足している判定する（ステップＳ１２０２でＹＥＳ）。すなわち、コンテンツ情報管理部１０５は、ユーザインターフェース１０７の指令に従ってコンテンツを録画すると、ＨＤＤ１０８の空き容量を超えると判定する。
【０１４５】
また、たとえば、前述の非予約録画を行っている場合、予約終了時刻は決められていないので、コンテンツ情報管理部１０５は、録画しているコンテンツの録画終了時間がいつであるかが分からない。
【０１４６】
この場合、コンテンツ情報管理部１０５は、ＨＤＤ１０８がコンテンツを記録できる残り時間が、所定時間（たとえば、数分）以上であれば、ＨＤＤ１０８の空き容量は不足していないと判定する（ステップＳ１２０２でＮＯ）。一方、コンテンツ情報管理部１０５は、ＨＤＤ１０８でコンテンツを記録できる残り時間が、上記所定時間未満であるときは、ＨＤＤ１０８の空き容量が不足している判定する（ステップＳ１２０２でＹＥＳ）。
【０１４７】
コンテンツ情報管理部１０５は、ＨＤＤ１０８の空き容量が不足していると判定したとき（ステップＳ１２０２でＹＥＳ）、一括削除用リスト１４０を作成する（ステップＳ１２０３）。ステップＳ１２０３の処理は、図９で説明した一括削除用リスト１４０の作成手順と同様である。
【０１４８】
次いで、コンテンツ情報管理部１０５は、ディスプレイ１０９が点灯しているか、すなわち、ユーザがディスプレイ１０９を見ているか否かを判定する（ステップＳ１２０４）。ディスプレイ１０９が点灯している場合（ステップＳ１２０４でＹＥＳ）、表示制御部１０６は、一括削除用リスト１４０（図１０参照）をディスプレイ１０９に表示する（ステップＳ１２０５）。
【０１４９】
次いで、表示制御部１０６は、要素１４１ｄ，１４１ｅのそれぞれにおいて、選択削除用チェックボックス１３３のチェックマークが削除されているか否かを確認する（ステップＳ１２０６）。なお、チェックマークの削除は、ユーザがユーザインターフェース１０７を操作することにより行われる。チェックマークを削除する指令、すなわち、削除対象リスト１４０から所定の録画コンテンツを除外する指令は、ユーザからユーザインターフェース１０７へ入力される。
【０１５０】
そして、ユーザインターフェース１０７が押操作されることで削除ボタン１３４が押操作された場合（ステップＳ１２０７で削除）、コンテンツ情報管理部１０５は、チェックマークがつけられている要素１４１ｄ，１４１ｅに対応付けられた録画コンテンツの画像データ、音声データ、識別情報および再生履歴情報を削除する（ステップＳ１２０８，Ｓ１２０９）。すなわち、チェックマークが外された要素に対応付けられた録画コンテンツは、削除対象コンテンツから除外される。
【０１５１】
より詳細には、コンテンツ情報管理部１０５は、コンテンツ記録再生部１０４に削除指令を送信する。削除指令を受けたコンテンツ記録再生部１０４は、チェックマークがつけられた要素１４１ｄ，１４１ｅに対応付けられた各録画コンテンツの画像データ、音声データおよび識別情報をＨＤＤ１０８から削除する（ステップＳ１２０８）。
【０１５２】
次いで、コンテンツ情報管理部１０５は、コンテンツ情報管理部１０５に記憶されている、対応する識別情報および再生履歴情報を削除し、これにより、コンテンツ情報管理部１０５の情報を更新する（ステップＳ１２０９）。
【０１５３】
一方、選択削除用リストの削除ボタン１３４が押操作されずに、キャンセルボタン１３５が押操作された場合（ステップＳ１２０７でキャンセル）、コンテンツ情報管理部１０５は、録画コンテンツのデータを削除することなく、処理を終了する。
【０１５４】
なお、この場合、ＨＤＤ１０８の空き容量の拡大は行われない。したがって、コンテンツ情報管理部１０５は、ＨＤＤ１０８の空き容量が無くなった時点で、ＨＤＤ１０８への録画を停止する指令をコンテンツ記録再生部１０４に与えることとなる。
【０１５５】
また、ディスプレイ１０９が点灯していない場合（ステップＳ１２０４でＮＯ）、コンテンツ情報管理部１０５は、ステップＳ１２０８に進み、最後まで再生されたか、または実質的に最後まで再生された録画コンテンツを一括して全て削除する（ステップＳ１２０８，Ｓ１２０９）。
【０１５６】
以上説明したように、本発明の実施の形態に係るコンテンツ管理装置では、表示制御部１０６は、管理テーブルに登録された録画コンテンツのリスト表示において、位置情報の登録された録画コンテンツを、位置情報に基づいて他の録画コンテンツと識別可能にしつつ、ディスプレイ１０９に表示させる。
【０１５７】
このような構成により、ユーザは、録画コンテンツのリスト表示を見ることにより、位置情報の登録された録画コンテンツを、当該位置情報に基づいて他の録画コンテンツと識別することができる。これにより、ユーザは、各録画コンテンツを、再生動作させることなくどこまで再生済みであるか、直ちに認識できる。その結果、たとえば、ユーザは、再生途中で中断された録画コンテンツのうち、続きを観たいコンテンツがどれであるかを、容易に特定できる。また、ユーザは、ＨＤＤ１０８に保存されている録画コンテンツのうちの、削除したい録画コンテンツを容易に特定できる。ユーザは、はじめだけ再生されたコンテンツと、最後まで再生されたコンテンツとを、録画コンテンツのリスト上で簡単に区別することができる。したがって、まだほとんど視聴していないコンテンツをユーザが誤って削除することを抑制できる。しかも、再生停止位置を確認するために、レジーム機能を利用する必要が無い。このため、再生停止位置の確認のために、ディスプレイ１０９を、録画コンテンツリストと再生画面との間で遷移する手間が必要無い。したがって、録画コンテンツを視聴する際、および録画コンテンツを削除する際などのユーザの利便性を高めることが可能なコンテンツ管理装置を実現できる。
【０１５８】
また、本発明の実施の形態に係るコンテンツ管理装置では、表示制御部１０６は、録画コンテンツの再生停止位置に基づく再生状況区分に対して予め定められた表示を行なうことで、当該録画コンテンツを、リスト表示される他の録画コンテンツと識別可能にしている。
【０１５９】
このように、再生状況区分に対して予め定められた表示を行うことで、ユーザは、各録画コンテンツの再生状況を容易に把握することができる。より具体的には、未だ一度も視聴が開始されていないか、または、僅かな時間のみ再生された後にすぐに再生が中断され、実質的に視聴されていない録画コンテンツについては、「未視聴」の表示が行われる。また、前記僅かの時間を超えた再生時間で再生が中断された録画コンテンツについては、「視聴中断」の表示が行われる。
【０１６０】
また、本発明の実施の形態に係るコンテンツ管理装置では、表示制御部１０６は、録画コンテンツが視聴済であることを再生状況区分が表すとき、当該再生状況区分に対して予め定められた視聴済の表示を行なう。
【０１６１】
これにより、録画コンテンツのうち、視聴済の録画コンテンツが何れであるかを、ユーザが明確に認識することができる。これにより、ユーザの利便性をより高くできる。
【０１６２】
また、本発明の実施の形態に係るコンテンツ管理装置では、コンテンツ情報管理部１０５は、削除指令または削除設定に従い、再生状況区分が視聴済である録画コンテンツを削除する。
【０１６３】
これにより、視聴済の録画コンテンツを削除することで、新たな録画コンテンツを録画するための容量を記録装置に確保することができる。
【０１６４】
また、本発明の実施の形態に係るコンテンツ管理装置では、表示制御部１０６は、録画コンテンツの識別情報と当該識別情報に対応する再生履歴情報とを隣接して配置したリスト１２０をディスプレイ１０９に表示させる。
【０１６５】
このような構成により、識別情報と再生履歴情報とを隣接して配置したリスト１２０を用いることで、ユーザは、各録画コンテンツの再生状況を迅速に把握できる。
【０１６６】
また、本発明の実施の形態に係るコンテンツ管理装置では、再生履歴情報は、録画コンテンツの再生中断時における再生位置を示す位置情報を含む。
【０１６７】
これにより、録画コンテンツの再生を途中で中断した後、再度録画コンテンツを再生する動作を行わなくても、録画コンテンツがどこまで再生されたかをすぐに識別できる。これにより、ユーザの利便性をより高くできる。
【０１６８】
また、本発明の実施の形態に係るコンテンツ管理装置では、録画コンテンツのうち、最後まで再生されたかまたは実質的に最後まで再生された録画コンテンツを抽出して一括削除用リスト１４０としてディスプレイ１０９に明示することで、これらの録画コンテンツをユーザに分かりやすく表示できる。これにより、最後まで再生されたかまたは実質的に最後まで再生された録画コンテンツのうち、保存しておきたい録画コンテンツを誤って削除してしまうことを抑制できる。
【０１６９】
また、本発明の実施の形態に係るコンテンツ管理装置では、コンテンツ情報管理部１０５は、１または複数の録画コンテンツを記録したＨＤＤ１０８に接続可能であり、ユーザの指令を受信するための表示制御部１０６をさらに備え、コンテンツ情報管理部１０５は、最後まで再生されたか、または実質的に最後まで再生された録画コンテンツを、ユーザの指令に応じて一括してＨＤＤ１０８から削除する。
【０１７０】
このような構成により、再生が終わった録画コンテンツを１つ毎に削除するという手間のかかる作業をユーザに行わせずに済み、ユーザの利便性を向上できる。
【０１７１】
また、本発明の実施の形態に係るコンテンツ管理装置では、コンテンツ情報管理部１０５は、所定の第１の割合以上の時間位置で再生を中断され、かつ、再生をスキップされた割合が第２の割合未満の録画コンテンツを、実質的に最後まで再生された録画コンテンツであると判定する。
【０１７２】
このような構成により、例えば、映画のエンドロールやテレビ番組の終了直後のコマーシャル部分以外は再生が済んでいる録画コンテンツを、実質的に最後まで再生されたコンテンツと判定することができる。また、１つの録画コンテンツに複数の番組が含まれている場合に、たとえば、ユーザは、後の番組から視聴することがある。この場合、録画コンテンツの前半部分など、まだ再生されていない部分が多く残っており、ユーザがこの前半部分を視聴したいと思っている可能性がある。このような場合において、録画コンテンツを削除してしまうことを防止できる。
【０１７３】
また、本発明の実施の形態に係るコンテンツ管理装置では、コンテンツ情報管理部１０５は、ＨＤＤ１０８にコンテンツを記録する指令に従ってコンテンツを記録するとＨＤＤ１０８の空き容量を超える場合に、ＨＤＤ１０８に記録済みの１または複数の録画コンテンツのうち、最後まで再生されたか、または実質的に最後まで再生されたコンテンツを削除対象コンテンツとして優先的に削除することができる。
【０１７４】
たとえば、特許第３４３９４０６号公報明細書に開示されている従来の装置、または、特開２００２−１１２１５０号公報に開示されている従来の装置では、再生が１度以上行われたか否かを基準に削除する録画コンテンツを決定する構成か、または、録画日時の最も古い録画コンテンツを削除するという構成であった。このため、途中までしか再生されておらず、ユーザが続きを見たい録画コンテンツであっても、削除されることがあった。また、多忙などの理由により長期間見ることができなかったコンテンツが、誤って削除されることがあった。すなわち、ユーザの見たいと思う録画コンテンツがＨＤＤ１０８から誤って削除されるおそれがあった。これに対し、本発明の実施の形態に係るコンテンツ管理装置によると、最後まで、または実質的に最後まで再生された録画コンテンツを削除するようにしている。よって、上記のように、ユーザがまだ見ていないか、または、見終っておらず、続きを見たい録画コンテンツを誤って削除してしまうことを防止できる。
【０１７５】
また、本発明の実施の形態に係るコンテンツ管理装置では、コンテンツ情報管理部１０５は、所定の第１の割合以上の時間位置で再生を中断され、かつ、再生をスキップされた割合が所定の第２の割合未満の、ＩＤ６の録画コンテンツを、実質的に最後まで再生された録画コンテンツであると判定する。
【０１７６】
このような構成により、所定の第１の割合以上の時間位置で再生を中断され、かつ、再生をスキップされた割合が所定の第２の割合未満の録画コンテンツを、ユーザが十分に視聴した録画コンテンツとして扱うことができる。よって、最後まで再生されていないようなＩＤ６の録画コンテンツについても、実質的に最後まで再生されたものとして扱うことで削除し、新たなコンテンツの記録のためにＨＤＤ１０８の容量を確保できる。
【０１７７】
また、本発明の実施の形態に係るコンテンツ管理装置では、コンテンツ情報管理部１０５は、複数の削除対象コンテンツを一括して削除可能である。
【０１７８】
このような構成により、自動的に一度に多くの空き容量を確保できるので、ＨＤＤ１０８の記録領域の有効活用を図ることができる。
【０１７９】
また、本発明の実施の形態に係るコンテンツ管理装置では、削除対象コンテンツの削除に先立ち、削除対象コンテンツの識別情報をディスプレイ１０９に表示させる制御を行うための表示制御部１０６をさらに備える。
【０１８０】
このような構成により、削除対象コンテンツの削除に先立ち、どの録画コンテンツが削除されるかを、ユーザに知らせることができる。
【０１８１】
また、本発明の実施の形態に係るコンテンツ管理装置では、一括削除用リスト１４０に載せられた削除対象コンテンツから除外するコンテンツを示す指令信号を受信可能なユーザインターフェース１０７をさらに備え、コンテンツ情報管理部１０５は、ユーザインターフェース１０７が受信した指令信号の示す録画コンテンツを削除対象コンテンツから除外する。
【０１８２】
このような構成であれば、ユーザが消去したくない録画コンテンツを、消去対象から除外することができる。
【０１８３】
［第２の実施形態］
図１３は、本発明の第２の実施形態に係るコンテンツ管理装置１０１における、録画動作を行うことに伴う録画コンテンツの削除の流れを説明するためのフローチャートである。図１３に示す流れは、図１２に示す流れの一部を変更したものとなっている。より詳細には、図１３に示す流れは、図１２に示す流れにステップＳ１２１０〜Ｓ１２１３を加えた流れとなっている。
【０１８４】
図１２に示す流れでは、ディスプレイ１０９が消灯しているとき、一括削除用リスト１４０の録画コンテンツのデータの全てを削除したけれども、図１３に示す流れでは、一括削除対象リストの録画コンテンツのデータを、録画開始日時の古い順から削除するようにしている。
【０１８５】
図１３を参照して、ディスプレイ１０９が消灯しているとき（ステップＳ１２０４でＮＯ）、コンテンツ情報管理部１０５は、コンテンツ記録再生部１０４に、録画開始日時の最も古いＩＤ５の録画コンテンツの画像データ、音声データ、および識別情報を、ＨＤＤ１０８から削除させる（ステップＳ１２１０）。また、コンテンツ情報管理部１０５は、当該コンテンツ情報管理部１０５に記録されている、ＩＤ５の録画コンテンツの識別情報および再生履歴情報を削除する（ステップＳ１２１１）。
【０１８６】
次に、コンテンツ情報管理部１０５は、一括削除用リスト１４０から、ＩＤ５の録画コンテンツの要素１４１ｅを削除することにより、一括削除用リスト１４０を更新する（ステップＳ１２１２）。
【０１８７】
次に、コンテンツ情報管理部１０５は、ＨＤＤ１０８の空き容量が未だ不足しているか否かを判定する（ステップＳ１２１３）。ＨＤＤ１０８の空き容量が未だ不足している場合（ステップＳ１２でＹＥＳ）、コンテンツ情報管理部１０５は、ステップＳ１２１０に戻る。
【０１８８】
そして、コンテンツ情報管理部１０５は、更新された一括削除用リスト１４０のうち、録画開始日時の最も古い、ＩＤ４の録画コンテンツの画像データ、音声データおよび識別情報を、コンテンツ記録再生部１０４によってＨＤＤ１０８から削除させる（ステップＳ１２１０）。
【０１８９】
さらに、コンテンツ情報管理部１０５は、当該コンテンツ情報管理部１０５に記憶されているＩＤ４の録画コンテンツの識別情報および再生履歴情報を削除する（ステップＳ１２１１）。さらに、コンテンツ情報管理部１０５は、一括削除用リスト１４０から要素１４１ｄを削除することにより、一括削除用リスト１４０を更新する（ステップＳ１２１２）。
【０１９０】
１または複数の録画コンテンツが削除されることにより、ＨＤＤ１０８の空き容量の不足が解消されると（ステップＳ１２１３でＮＯ）、表示制御部１０６は、処理を終了する。
【０１９１】
本発明の実施の形態に係るコンテンツ管理装置では、一括削除用リスト１４０に載せられた削除対象コンテンツが複数ある場合には、新たなコンテンツを記録するために必要な空き容量がＨＤＤ１０８において確保されるまで、削除対象コンテンツ（ＩＤ４，ＩＤ５の各録画コンテンツ）を、削除対象コンテンツの録画日時の古いものから順に削除する。
【０１９２】
このような構成であれば、新たなコンテンツを録画する際に削除する古い録画コンテンツの削除量を必要最低限にすることができる。よって、ユーザにとって不本意な削除動作を抑制できる。
【０１９３】
また、本発明の実施の形態に係るコンテンツ管理装置では、ＨＤＤ１０８が複数の録画コンテンツを記録している例を説明したけれども、これに限定されない。たとえば、ＨＤＤ１０８が１つの録画コンテンツのみを記憶しており、１つの録画コンテンツの識別情報と、再生履歴情報とを対応付けてディスプレイ１０９に表示してもよい。また、ＨＤＤ１０８が１つの録画コンテンツのみを記憶しており、１つの録画コンテンツが最後まで、または実質的に最後まで再生されている場合に、当該コンテンツをＨＤＤ１０８から削除してもよい。
【０１９４】
また、本発明の実施の形態に係るコンテンツ管理装置では、再生が中断された状態の録画コンテンツの再生履歴情報が、時計マークを模した図柄１２３を含む構成を説明したけれども、これに限定されない。たとえば、図柄１２３に代えて、録画コンテンツの最初から、再生を中断したときまでの再生経過時間を数字で明示してもよい。また、再生を中断したときから録画コンテンツの再生が完了するまでの残り時間を数字で明示してもよい。
【０１９５】
また、本発明の実施の形態に係るコンテンツ管理装置では、各録画コンテンツにおいて、録画時間に対する再生時間が所定の第１の割合以上のときにおいて、当該録画コンテンツを実質的に最後まで再生したと判定する構成を説明したけれども、これに限定されない。たとえば、各録画コンテンツにおいて、録画時間と再生時間との差が所定の時間（たとえば、１０分）未満のときにおいて、当該録画コンテンツを実質的に最後まで再生したと判定する構成でもよい。
【０１９６】
また、本発明の実施の形態に係るコンテンツ管理装置では、ＨＤＤ１０８の空き容量が不足しているときに、最後まで、または実質的に最後まで再生された録画コンテンツのデータを、他の録画コンテンツのデータに対して優先的に削除する構成を説明したけれども、これに限定されない。たとえば、最後まで、または実質的に最後まで再生された録画コンテンツ以外の録画コンテンツのデータも一緒にＨＤＤ１０８から削除可能としてもよい。
【０１９７】
また、本発明の実施の形態に係るコンテンツ管理装置では、受信部１０２がストリームを受信することによりコンテンツを録画するとしたが、コンテンツ管理装置１０１に外付けの光学ドライブを接続することにより、ＤＶＤ（Digital Versatile Disc）やＢＤ（Blu-ray Disc）等のディスクからコンテンツを取得できるようにしても良い。
【０１９８】
上記実施の形態は、すべての点で例示であって制限的なものではないと考えられるべきである。本発明の範囲は、上記説明ではなく特許請求の範囲によって示され、特許請求の範囲と均等の意味および範囲内でのすべての変更が含まれることが意図される。
【符号の説明】
【０１９９】
１０１  コンテンツ管理装置
１０５  コンテンツ情報管理部
１０６  表示制御部
【図１】
2013093767.tif 000003
【図２】
2013093767.tif 000004
【図３】
2013093767.tif 000005
【図４】
2013093767.tif 000006
【図５】
2013093767.tif 000007
【図６】
2013093767.tif 000008
【図７】
2013093767.tif 000009
【図８】
2013093767.tif 000010
【図９】
2013093767.tif 000011
【図１０】
2013093767.tif 000012
【図１１】
2013093767.tif 000013
【図１２】
2013093767.tif 000014
【図１３】
2013093767.tif 000015